【手続補正書】
【提出日】令和2年2月10日(2020.2.10)
【手続補正１】
【補正対象書類名】特許請求の範囲
【補正対象項目名】全文
【補正方法】変更
【補正の内容】
【特許請求の範囲】
【請求項１】
吸着材（２２）が有する水分の吸着作用および脱離作用を利用して調湿対象空間の湿度を調整する調湿装置であって、
前記吸着材を含んで構成される吸着器（２０）と、
空気を前記吸着器に供給するための送風機（１４）と、
前記吸着材に吸着された水分を脱離させて空気を加湿する脱離モードと前記吸着材に水分を吸着させて空気を除湿する吸着モードとを切り替えるモード切替部（３０、４０）と、
前記送風機および前記吸着器が収容されるとともに、前記吸着器の内部の通風路（２００）に連通する空気通路（１２０）が形成されたケーシング（１２）と、を備え、
前記空気通路は、冷風を前記吸着器に導入する冷風導入通路（１２６ａ）、温風を前記吸着器に導入する温風導入通路（１２７ａ）、前記吸着器から加湿された空気を導出する加湿風導出通路（１２８ａ）、前記吸着器から除湿された空気を導出する除湿風導出通路（１２９ａ）を含んでおり、
前記吸着器は、空気が流入または流出する一対の通風面（２０１、２０２）と前記通風路を形成するための側面壁部（２１）とを有しており、
前記モード切替部は、
前記送風機における空気の吸込方向および空気の吹出方向が維持された状態で、前記一対の通風面のうち前記吸着モード時に空気の流入面となる一方の通風面が前記脱離モード時に空気の流出面となり、前記吸着モード時に空気の流出面となる他方の通風面が前記脱離モード時に空気の流入面となるように、前記吸着器における空気の通風方向を逆転させるものであって、前記一対の通風面の位置が変化するように前記吸着器を変位させる吸着器変位機構（４０）で構成されており、
前記吸着器変位機構は、
前記吸着モード時に、前記一方の通風面が前記他方の通風面よりも空気流れ上流側となる位置に前記吸着器を変位させるとともに、前記通風路を介して前記冷風導入通路と前記除湿風導出通路とが連通する位置であって、前記側面壁部によって前記温風導入通路と前記加湿風導出通路との連通が遮断される位置に前記吸着器を変位させ、
前記脱離モード時に、前記一方の通風面が前記他方の通風面よりも空気流れ下流側となる位置に前記吸着器を変位させるとともに、前記通風路を介して前記温風導入通路と前記加湿風導出通路とが連通する位置であって、前記側面壁部によって前記冷風導入通路と前記除湿風導出通路との連通が遮断される位置に前記吸着器を変位させる調湿装置。
【請求項２】
吸着材（２２）が有する水分の吸着作用および脱離作用を利用して調湿対象空間の湿度を調整する調湿装置であって、
前記吸着材を含んで構成される吸着器（２０）と、
空気を前記吸着器に供給するための送風機（１４）と、
前記送風機および前記吸着器が収容されるとともに、前記吸着器の内部の通風路（２００）に連通する空気通路（１２０）が形成されたケーシング（１２）と、
前記吸着器を変位させる吸着器変位機構（４０）と、を備え、
前記空気通路の一部は、冷風を流通させる冷風通路（１２５ｂ）および温風を流通させる温風通路（１２５ｃ）に仕切られており、
前記吸着器は、空気が流入または流出する一対の通風面（２０１、２０２）を有し、前記一対の通風面が前記冷風通路および前記温風通路の双方に跨るように配置されており、
前記吸着器変位機構は、前記一対の通風面のうち一方の通風面から流入した前記冷風および前記温風が他方の通風面から流出する位置と、前記他方の通風面から流入した前記冷風および前記温風が前記一方の通風面から流出する位置とに前記吸着器を変位させる構成になっている調湿装置。
【請求項３】
前記空気通路の一部を前記冷風通路および前記温風通路に仕切る一対の隔壁部（２４１、２４２）を備え、
前記一対の隔壁部は、一方の隔壁部（２４１）が前記一方の通風面側に設けられ、他方の隔壁部（２４２）が前記他方の通風面側に設けられており、
前記一方の通風面は、前記一方の隔壁部によって第１通風部（２０１Ａ）および第２通風部（２０１Ｂ）に区分されており、
前記他方の通風面は、前記他方の隔壁部によって第３通風部（２０２Ａ）および第４通風部（２０２Ｂ）に区分されており、
前記吸着器変位機構は、前記第１通風部から流入した前記冷風が前記第３通風部から流出し、前記第２通風部から流入した前記温風が前記第４通風部から流出する位置と、前記第４通風部から流入した前記冷風が前記第２通風部から流出し、前記第３通風部から流入した前記温風が前記第１通風部から流出する位置とに前記吸着器を変位させる構成になっている請求項２に記載の調湿装置。
【請求項４】
前記送風機は、空気の吸込方向および空気の吹出方向が所定の方向に固定された構造になっている請求項１ないし３のいずれか１つに記載の調湿装置。
【手続補正２】
【補正対象書類名】明細書
【補正対象項目名】０００９
【補正方法】変更
【補正の内容】
【０００９】
上記目的を達成するため、請求項１に記載の発明は、
吸着材を含んで構成される吸着器（２０）と、
空気を吸着器に供給するための送風機（１４）と、
吸着材に吸着された水分を脱離させて空気を加湿する脱離モードと吸着材に水分を吸着させて空気を除湿する吸着モードとを切り替えるモード切替部（３０、４０）と、を備え、
吸着器は、空気が流入または流出する一対の通風面（２０１、２０２）を有しており、
モード切替部は、送風機における空気の吸込方向および空気の吹出方向が維持された状態で、一対の通風面のうち吸着モード時に空気の流入面となる一方の通風面が脱離モード時に空気の流出面となり、吸着モード時に空気の流出面となる他方の通風面が脱離モード時に空気の流入面となるように、吸着器における空気の通風方向を逆転させるものであって、一対の通風面の位置が変化するように吸着器を変位させる吸着器変位機構（４０）で構成されており、
吸着器変位機構は、
吸着モード時に、一方の通風面が他方の通風面よりも空気流れ上流側となる位置に吸着器を変位させるとともに、通風路を介して冷風導入通路と除湿風導出通路とが連通する位置であって、側面壁部によって温風導入通路と加湿風導出通路との連通が遮断される位置に吸着器を変位させ、
脱離モード時に、一方の通風面が他方の通風面よりも空気流れ下流側となる位置に吸着器を変位させるとともに、通風路を介して温風導入通路と加湿風導出通路とが連通する位置であって、側面壁部によって冷風導入通路と除湿風導出通路との連通が遮断される位置に吸着器を変位させる。
【手続補正３】
【補正対象書類名】明細書
【補正対象項目名】００１２
【補正方法】変更
【補正の内容】
【００１２】
また、請求項２に記載の発明は、
吸着材を含んで構成される吸着器（２０）と、
空気を吸着器に供給するための送風機（１４）と、
送風機および吸着器が収容されるとともに、吸着器の内部の通風路（２００）に連通する空気通路（１２０）が形成されたケーシング（１２）と、
吸着器を変位させる吸着器変位機構（４０）と、を備え、
空気通路の一部は、冷風を流通させる冷風通路（１２５ｂ）および温風を流通させる温風通路（１２５ｃ）に仕切られており、
吸着器は、空気が流入または流出する一対の通風面（２０１、２０２）を有し、一対の通風面が冷風通路および温風通路の双方に跨るように配置されており、
吸着器変位機構は、一対の通風面のうち一方の通風面から流入した冷風および温風が他方の通風面から流出する位置と、他方の通風面から流入した冷風および温風が一方の通風面から流出する位置とに吸着器を変位させる構成になっている。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】